(57)【要約】  【課題】  養蜂用巣箱を手持ちすることなく、載せ降ろしでき、運搬中に確実に固定できる手押し運搬車を提供する。【解決手段】前側に車輪３を支持し、後方へ一対のハンドル４が延びる枠体２は、前後を水平の枢軸１１で互いに回転自在に枢支し、枢軸１１より上方位置にハンドル４を結合し、ハンドル４の上げ下げにより枢軸１１より下方部分が互いに接近，離反する一対の交差枠１０を具備する。交差枠１０は、前後に対向する一対のリンク杆１３と、リンク杆１３の一端部間を前後方向に結合する水平杆１４と、前側のリンク杆１３から下方へ延びる支持杆１５と、後側のリンク杆１３から下方へ延びる脚杆１６と、脚杆１６と支持杆１５との間に渡される水平な把持アーム１７とを具備させる。交差枠１０，１０間に伸縮可能なスライドガイド１２を介設する。ハンドル４の上げ下げに伴い互いに接近，離間する把持アーム１７で巣箱Ｂを把持する。【選択図】  図１
2019083737.tif 000002
【特許請求の範囲】
【請求項１】
前側に車輪を支持し、後側に後方へ左右に並行する一対のハンドルが延び、中間部に養蜂用の巣箱を把持する枠体を具備し、ハンドルを持ち車輪を支点に後部を持ち上げて押し動かし、巣箱を運搬する手押し運搬車において、
前記枠体は、前後を水平の枢軸により互いに回転自在に枢支され、枢軸より上方位置から前記ハンドルが後方へ延び、ハンドルの上げ下げにより枢軸より下方部分が互いに接近，離反可能な一対の交差枠と、これらの交差枠の相互間に介設され、相互の接近，離反を水平方向にガイドする伸縮可能なガイド部材とを具備し、
前記両交差枠の下端部には、前記ハンドルの持ち上げにより互いに接近して巣箱を把持し、ハンドルの下げ降ろしにより互いに離間して巣箱を解放する水平の把持アームをそれぞれ具備することを特徴とする養蜂巣箱用手押し運搬車。
【請求項２】
前記交差枠は、前後に対向する一対のリンク杆と、このリンク杆の一端部間を前後方向に結合する水平杆と、前側の前記リンク杆から下方へ延びる支持杆と、後側の前記リンク杆から下方へ延びる脚杆と、前記脚杆と前記支持杆との間に渡される前記把持アームとを具備することを特徴とする請求項１に記載の養蜂巣箱用手押し運搬車。
【請求項３】
前記把持アームは、相互の接近位置で前記巣箱から側方へ突出した蓋受けの下部に係合する掛け部を具備することを特徴とする請求項１に記載の養蜂巣箱用手押し運搬車。
【発明の詳細な説明】
【技術分野】
【０００１】
本発明は、車輪を支点に後部のハンドルを持ち上げて押し動かすタイプの手押し運搬車に関し、特に養蜂用の巣箱の運搬に利用するものである。
【背景技術】
【０００２】
従来、手押し式の一輪運搬車は、中間部の平行枠部と、平行枠部の前方に前端部が略Ｕ字状に閉じる前上がりの連結枠部と、平行枠部の後方に後上がりに延びる左右一対の手押しハンドルと、平行枠部間の横架枠部から連結枠部の下方に設けられ、単一の車輪が支持される車輪支持部部と、平行枠部の後部と手押しハンドルの中間部との間に固着される略三角形状の脚部と、平行枠部、連結枠部、手押しハンドルの前部上に載置される皿状の荷台とを具備する。（特許文献１）。
【先行技術文献】
【特許文献】
【０００３】
【特許文献１】特開平10-273052号公報
【発明の概要】
【発明が解決しようとする課題】
【０００４】
上記従来の手押し式の運搬車においては、手持ちが困難な比較的大きな重量物又は大量の荷物の運搬に利用されるが、養蜂用の巣箱は、大きな衝撃や振動を避ける必要上、運搬時の荷台への載せ降ろしに慎重を期す煩わしい作業となり、落下の危険を避けるため荷台上に確実に固定する必要もあり、運搬の作業効率が悪く迅速な運搬が困難である。
そこで本発明は、巣箱の運搬時に巣箱を手持ちすることなく、積み降ろしでき、運搬中に荷台上で確実に固定でき、運搬作業の効率を向上させる蜜蜂巣箱用の手押し運搬車を提供することを目的とする。
【課題を解決するための手段】
【０００５】
上記課題を解決するため、本発明の養蜂巣箱用手押し運搬車は、前側に車輪３を支持し、後側に後方へ左右に並行する一対のハンドル４が延び、中間部に養蜂用の巣箱を把持する枠体２を具備し、ハンドル４を持って車輪３を支点に後部を持ち上げて押し動かし、巣箱Ｂを運搬する。枠体２は、前後を水平の枢軸１１により互いに回転自在に枢支され、枢軸１１より上方位置からハンドル４が後方へ延び、ハンドル４の上げ下げにより枢軸の下方部分が互いに接近，離反可能な一対の交差枠１０，１０と、これらの交差枠１０の相互間に介設され、相互の接近，離反を水平方向にガイドする伸縮可能なスライドガイド１２のようなガイド部材とを具備する。交差枠１０の下端部には、ハンドル４の上げ下げに伴い互いに接近，離間して巣箱Ｂを把持，解放する把持アーム１７を具備する。
【発明の効果】
【０００６】
本発明によれば、養蜂用の巣箱を運搬するときに、作業者が巣箱を手持ちすることなく、揚げ降ろしでき、また運搬中に容易に移動することなく確実に固定でき、養蜂用巣箱の運搬作業を迅速かつ安全に遂行できる。
【図面の簡単な説明】
【０００７】
【図１】本発明の手押し運搬車の斜視図である。
【図２】図１の手押し運搬車の正面図である。
【図３】図１の手押し運搬車の側面図である。
【図４】図１の手押し運搬車の平面図である。
【図５】交差枠の動きを示す説明図である。
【図６】図１の手押し運搬車の使用状態を示す説明図である。
【発明を実施するための形態】
【０００８】
以下に本発明の実施の一形態を図面に基づいて説明する。
図１ないし図４において、本発明の養蜂用の巣箱Ｂの手押し運搬車１は、前部に車輪３を支持し、その後部に巣箱Ｂを把持し、後方へハンドル４が延びる枠体２を具備する。
【０００９】
枠体２は、車輪支持部５と荷持ち部６とを具備する。車輪支持部５は、車輪３の水平軸を軸受けを介して回動自在に支持する左右に対向する一対のブラケット７ａ，７ａを断面略コ字状に折り返して形成したブラケット板７と、ブラケット板７の上板７ｂを下面に固着した取付枠８とを具備する。
【００１０】
荷持ち部６は、前後を水平の枢軸１１，１１により互いに回転自在に枢着され、枢軸１１の上下両側において左右幅を伸縮可能な一対の交差枠１０，１０と、交差枠１０，１０の下部を前後で結合するスライドガイド１２とを具備する。
【００１１】
交差枠１０は、前後に対向する一対のリンク杆１３，１３と、リンク杆１３，１３の上端を結合する水平杆１４，１４と、前側のリンク杆１３の下端から下方へ延びる支持杆１５、後側のリンク杆１３から下方へ延びる脚杆１６と、支持杆１５と脚杆１６の間をわたる把持アーム１７と、後側のリンク杆１３と支持杆１５との結合部から下方に延び下端にハンドル４が結合する接続杆１８とを具備する。脚杆１６は、接地位置で水平杆１４及び把持アーム１７が水平になるように車輪３と共に枠体２を支持する。把持アーム１７は両端部が幅広に形成された鋼板材で構成され、支持杆１５及び脚杆１６の側面に沿う主体部１７ａと、巣箱Ｂの側方へ突き出た蓋受けＢ１に掛かるように内側に斜めに拡がる掛け部１７ｂと、巣箱Ｂの側面に当接するように垂直下方へ向かう押さえ部１７ｃとを具備する。
【００１２】
前側のスライドガイド１２は、基端が一方の交差枠１０のリンク杆１３及び支持杆１５に固着された取付板１９に上下方向に回転可能に枢着された角パイプからなるガイドパイプ１２ａと、基端が他方の交差枠１０の支持杆１５に上下方向に回転可能に枢着されて、ガイドパイプ１２ａに出入り自在に挿入されたスライドバー１２ｂとを具備する。後側のスライドガイド１２は、基端が一方の交差枠１０のリンク杆１３及び脚杆１６に固着された取付板２０に上下方向に回転可能に枢着された角パイプからなるガイドパイプ１２ａと、基端が他方の交差枠１０の脚杆１６に上下方向に回転可能に枢着されて、ガイドパイプ１２ａに出入り自在に挿入されたスライドバー１２ｂとを具備する。スライドガイド１２は、交差枠１０，１０の枢軸１１の下側において把持アーム１７，１７の移動を水平方向にガイドするために伸縮可能に交差枠１０，１０を結合する。
【００１３】
この手押し運搬車１により巣箱Ｂを運搬する場合、地面に置いた巣箱Ｂの近傍で把持アーム１７，１７間を開いたまま車輪３を支点にハンドル４を内側へ押し込みながら持ち上げて、把持アーム１７，１７間に巣箱Ｂを受け入れるように位置合わせしてハンドル４を下げ降ろす。ここで一旦ハンドル４を下ろしてから、再度ハンドル４を持ち上げれば、図５に示すように、交差枠１０，１０が枢軸１１，１１を中心に回転して把持アーム１７，１７間が狭まり、把持アーム１７を巣箱Ｂの蓋受けＢ１の下部に掛け部１７ｂが掛かると共に押さえ部１７ｃが側面に押し当たり、巣箱Ｂを把持アーム１７，１７で挟み持つことができる。図６に示すようにこのままハンドル４を持ち上げた状態で押し動かして移動することができる。移動先でハンドル４を下げ降ろすと、枠体２の交差枠１０，１０が枢軸１１，１１を中心に反転して把持アーム１７，１７間が開き、脚杆１６を地面に置いた状態で巣箱Ｂを解放できる。
【符号の説明】
【００１４】
１    手押し運搬車
２    枠体
３    車輪
４    ハンドル
５    車輪支持部
６    荷持ち部
７    ブラケット板
８    取付枠
１０    交差枠
１１    枢軸
１２    スライドガイド
１２ａ  ガイドパイプ
１２ｂ  スライドバー
１３    リンク杆
１４    水平杆
１５    支持杆
１６    脚杆
１７    把持アーム
１８    接続杆
１７ａ  主体部
１７ｂ  掛け部
１７ｃ  押さえ部
１９    取付板
２０    取付板
Ｂ    巣箱
Ｂ１  蓋受け
【図１】
2019083737.tif 000003
【図２】
2019083737.tif 000004
【図３】
2019083737.tif 000005
【図４】
2019083737.tif 000006
【図５】
2019083737.tif 000007
【図６】
2019083737.tif 000008
【手続補正書】
【提出日】平成30年12月19日(2018.12.19)
【手続補正１】
【補正対象書類名】特許請求の範囲
【補正対象項目名】請求項１
【補正方法】変更
【補正の内容】
【請求項１】
前側に車輪を支持し、後側に後方へ左右に並行する一対のハンドルが延び、中間部に養蜂用の巣箱を把持する枠体を具備し、ハンドルを持ち車輪を支点に後部を持ち上げて押し動かし、巣箱を運搬する手押し運搬車において、
前記枠体は、左右方向中間部を前後の水平の枢軸により互いに回転自在に枢支され、一端部から前記ハンドルがそれぞれ後方へ延び、ハンドルの上げ下げにより他端部が互いに接近，離反可能な一対の交差枠と、これらの交差枠の相互間に介設され、相互の接近，離反を水平方向にガイドする伸縮可能なガイド部材とを具備し、
前記両交差枠の他端部には、前記ハンドルの持ち上げにより互いに接近して巣箱を把持し、ハンドルの下げ降ろしにより互いに離間して巣箱を解放する水平の把持アームをそれぞれ具備することを特徴とする養蜂巣箱用手押し運搬車。
【手続補正２】
【補正対象書類名】明細書
【補正対象項目名】０００５
【補正方法】変更
【補正の内容】
【０００５】
上記課題を解決するため、本発明の養蜂巣箱用手押し運搬車は、前側に車輪３を支持し、後側に後方へ左右に並行する一対のハンドル４が延び、中間部に養蜂用の巣箱を把持する枠体２を具備し、ハンドル４を持って車輪３を支点に後部を持ち上げて押し動かし、巣箱Ｂを運搬する。枠体２は、左右方向中間部を前後の水平の枢軸１１により互いに回転自在に枢支され、一端部からハンドル４が後方へ延び、ハンドル４の上げ下げにより他端部が互いに接近，離反可能な一対の交差枠１０，１０と、これらの交差枠１０の相互間に介設され、相互の接近，離反を水平方向にガイドする伸縮可能なスライドガイド１２のようなガイド部材とを具備する。交差枠１０の他端部には、ハンドル４の上げ下げに伴い互いに接近，離間して巣箱Ｂを把持，解放する把持アーム１７を具備する。
【手続補正３】
【補正対象書類名】明細書
【補正対象項目名】００１０
【補正方法】変更
【補正の内容】
【００１０】
枠体を構成する荷持ち部６は、左右方向中間部を前後の水平の枢軸１１，１１により互いに回転自在に枢着され、一端部からハンドル４がそれぞれ後方へ延び、枢軸１１を中心にして左右幅を伸縮可能な一対の交差枠１０，１０と、交差枠１０，１０の他端部間を前後で結合するスライドガイド１２とを具備する。